(57)【要約】【課題】速やかに、且つ、ユーザに認識されることなく、過変調の音声信号を補正する。【解決手段】２つのチューナの両方が使用されない場合、どちらか一方のチューナを用いて、テレビジョン放送の各チャンネルにそれぞれ応じた増幅利得を決定するための計測処理が実行される。一方のチューナだけが使用される場合、使用されるチューナの利得が前回の計測処理で更新されているLUTに基づいて設定され、使用されないチューナを用いて計測処理が行われる。両方のチューナが使用される場合、両方のチューナの利得が前回の計測処理で更新されているLUTに基づいて設定される。本発明は、例えばテレビジョン受像機に適用できる。【選択図】図３
2008205762.tif 000002
【特許請求の範囲】
【請求項１】
音声信号を受信する受信装置において、
変調された音声信号を受信して復調し、所定の利得で増幅する受信手段と、
前記受信手段から出力される増幅された音声信号の最大レベルを検出し、検出した前記最大レベルと所定の閾値を比較する比較手段と、
前記比較手段の比較結果に対応し、前記受信手段を制御して前記利得の設定値を変更させる利得調整手段と、
前記比較手段の比較結果に対応し、前記受信手段によって選局されているチャンネルに、前記受信手段の現在の利得の設定値を最適値として対応付けて記憶する記憶手段と、
前記音声信号の受信を目的として前記受信手段が使用されるか否かを判定し、前記受信手段が使用されないと判定された場合、前記受信手段、前記比較手段、前記利得調整手段、および前記記憶手段を制御して前記最適値を記憶させ、前記受信手段が使用されると判定された場合、前記受信手段を制御して前記利得の設定値を、前記記憶手段によって記憶されている前記最適値に設定させる制御手段と
を含む受信装置。
【請求項２】
前記受信手段は、複数存在し、
前記制御手段は、複数の前記受信手段のうち、前記音声信号の受信を目的として使用されないものが少なくとも１つ残っているとき、前記受信手段が使用されないと判定する
請求項１に記載の受信装置。
【請求項３】
前記制御手段は、前記受信装置の主電源がオフとされたスタンバイ状態であるとき、前記受信手段が使用されないと判定する
請求項１に記載の受信装置。
【請求項４】
前記記憶手段は、所定の期間以前に前記比較手段によって検出された前記最大レベルも記憶し、
前記利得調整手段は、記憶されている前記最大レベルと現在の最大レベルの差が所定の閾値以上ある場合、前記受信手段を制御して前記利得の設定値を最大値に変更させる
請求項１に記載の受信装置。
【請求項５】
変調された音声信号を受信して復調し、所定の利得で増幅する受信手段を備える受信装置の受信方法において、
前記音声信号の受信を目的として前記受信手段が使用されるか否かを判定し、前記受信手段が使用されないと判定した場合、
前記受信手段から出力される増幅された音声信号の最大レベルを検出し、
検出した前記最大レベルと所定の閾値を比較し、
この比較結果に対応し、前記受信手段を制御して前記利得の設定値を変更させ、
この比較結果に対応し、前記受信手段によって選局されているチャンネルに、前記受信手段の現在の利得の設定値を最適値として対応付けて記憶し、
前記受信手段が使用されると判定した場合、
前記受信手段を制御して前記利得の設定値を、記憶されている前記最適値に設定させる
ステップを含む受信方法。
【請求項６】
変調された音声信号を受信して復調し、所定の利得で増幅する受信手段を備える受信装置の制御用のプログラムであって、
前記音声信号の受信を目的として前記受信手段が使用されるか否かを判定し、前記受信手段が使用されないと判定した場合、
前記受信手段から出力される増幅された音声信号の最大レベルを検出し、
検出した前記最大レベルと所定の閾値を比較し、
この比較結果に対応し、前記受信手段を制御して前記利得の設定値を変更させ、
この比較結果に対応し、前記受信手段によって選局されているチャンネルに、前記受信手段の現在の利得の設定値を最適値として対応付けて記憶し、
前記受信手段が使用されると判定した場合、
前記受信手段を制御して前記利得の設定値を、記憶されている前記最適値に設定させる
ステップを含む処理を受信装置のコンピュータに実行させるプログラム。
【請求項７】
変調された音声信号を受信して復調し、所定の利得で増幅する受信手段と、
前記受信手段から出力される増幅された音声信号の最大レベルを検出し、検出した前記最大レベルと所定の閾値を比較する比較手段と、
前記比較手段の比較結果に対応し、前記受信手段を制御して前記利得の設定値を変更させる利得調整手段と、
前記比較手段の比較結果に対応し、前記受信手段によって選局されているチャンネルに、前記受信手段の現在の利得の設定値を最適値として対応付けて記憶する記憶手段と、
前記音声信号の受信を目的として前記受信手段が使用されるか否かを判定し、前記受信手段が使用されないと判定された場合、前記受信手段、前記比較手段、前記利得調整手段、および前記記憶手段を制御して前記最適値を記憶させ、前記受信手段が使用されると判定された場合、前記受信手段を制御して前記利得の設定値を、前記記憶手段によって記憶されている前記最適値に設定させる制御手段と
を含むテレビジョン受像機。
【発明の詳細な説明】
【技術分野】
【０００１】
本発明は、受信装置、受信方法、およびプログラム、並びにテレビジョン受像機に関し、特に、過変調の可能性がある音声信号を受信する場合に用いて好適な受信装置、受信方法、およびプログラム、並びにテレビジョン受像機に関する。
【背景技術】
【０００２】
本来、テレビジョン放送やラジオ放送の音声信号は、その変調度が予め規定されている。しかしながら、規定を超える変調度で変調された音声信号（例えば、FM変調波の場合、変調周波数幅が規定よりも広い音声信号。AM変調波の場合、変調振幅が規定よりも広い音声信号。以下、過変調の音声信号を称する）が放送されている国や地域が存在し、さらに、それらの変調度は、放送局毎あるいは番組毎に異なる場合が多い。
【０００３】
そのような過変調の音声信号を通常の受信装置で受信した場合、出力される音に歪が生じてしまう。そこで、従来、過変調の音声信号に対処する方法として、受信した音声信号を復調して増幅し、増幅後の信号レベルが閾値を越えている場合、増幅時の利得を下げる方法が存在する（例えば、特許文献１参照）。
【０００４】
【特許文献１】特開２００２−９６５０号公報
【発明の開示】
【発明が解決しようとする課題】
【０００５】
上述した対処方法の場合、受信中の音声信号に基づいて増幅時の利得を調整しているので、最適な利得に調整されるまでにある程度の時間を要してしまう。例えば、小声による会話のシーンから突然大声を発するシーンに変化する音声信号を想定すると、小声の会話のシーンでは変調度が低いので利得は調整されず、大声のシーンでは変調度が大きく過変調であるので、この時点で利得の調整が開始されることになる。
【０００６】
また、従来の対処方法の場合、受信中の音声信号に基づいて増幅時の利得を調整しているので、利得の抑制によって急に音量が下がってしまいユーザに違和感を与えたり、過変調に対する対処が行われていることをユーザに認識させてしまう。
【０００７】
本発明はこのような状況に鑑みてなされたものであり、速やかに、ユーザに認識されることなく、過変調の音声信号に対処できるようにするものである。
【課題を解決するための手段】
【０００８】
本発明の第１の側面である受信装置は、音声信号を受信する受信装置において、変調された音声信号を受信して復調し、所定の利得で増幅する受信手段と、前記受信手段から出力される増幅された音声信号の最大レベルを検出し、検出した前記最大レベルと所定の閾値を比較する比較手段と、前記比較手段の比較結果に対応し、前記受信手段を制御して前記利得の設定値を変更させる利得調整手段と、前記比較手段の比較結果に対応し、前記受信手段によって選局されているチャンネルに、前記受信手段の現在の利得の設定値を最適値として対応付けて記憶する記憶手段と、前記音声信号の受信を目的として前記受信手段が使用されるか否かを判定し、前記受信手段が使用されないと判定された場合、前記受信手段、前記比較手段、前記利得調整手段、および前記記憶手段を制御して前記最適値を記憶させ、前記受信手段が使用されると判定された場合、前記受信手段を制御して前記利得の設定値を、前記記憶手段によって記憶されている前記最適値に設定させる制御手段とを含む。
【０００９】
前記受信手段は、複数存在し、前記制御手段は、複数の前記受信手段のうち、前記音声信号の受信を目的として使用されないものが少なくとも１つ残っているとき、前記受信手段が使用されないと判定するようにすることができる。
【００１０】
前記制御手段は、前記受信装置の主電源がオフとされたスタンバイ状態であるとき、前記受信手段が使用されないと判定するようにすることができる。
【００１１】
前記記憶手段は、所定の期間以前に前記比較手段によって検出された前記最大レベルも記憶し、前記利得調整手段は、記憶されている前記最大レベルと現在の最大レベルの差が所定の閾値以上ある場合、前記受信手段を制御して前記利得の設定値を最大値に変更させるようにすることができる。
【００１２】
本発明の第１の側面である受信方法は、変調された音声信号を受信して復調し、所定の利得で増幅する受信手段を備える受信装置の受信方法において、前記音声信号の受信を目的として前記受信手段が使用されるか否かを判定し、前記受信手段が使用されないと判定した場合、前記受信手段から出力される増幅された音声信号の最大レベルを検出し、検出した前記最大レベルと所定の閾値を比較し、この比較結果に対応し、前記受信手段を制御して前記利得の設定値を変更させ、この比較結果に対応し、前記受信手段によって選局されているチャンネルに、前記受信手段の現在の利得の設定値を最適値として対応付けて記憶し、前記受信手段が使用されると判定した場合、前記受信手段を制御して前記利得の設定値を、記憶されている前記最適値に設定させるステップを含む。
【００１３】
本発明の第１の側面であるプログラムは、変調された音声信号を受信して復調し、所定の利得で増幅する受信手段を備える受信装置の制御用のプログラムであって、前記音声信号の受信を目的として前記受信手段が使用されるか否かを判定し、前記受信手段が使用されないと判定した場合、前記受信手段から出力される増幅された音声信号の最大レベルを検出し、検出した前記最大レベルと所定の閾値を比較し、この比較結果に対応し、前記受信手段を制御して前記利得の設定値を変更させ、この比較結果に対応し、前記受信手段によって選局されているチャンネルに、前記受信手段の現在の利得の設定値を最適値として対応付けて記憶し、前記受信手段が使用されると判定した場合、前記受信手段を制御して前記利得の設定値を、記憶されている前記最適値に設定させるステップを含む処理を受信装置のコンピュータに実行させる。
【００１４】
本発明の第２の側面であるテレビジョン受像機は、変調された音声信号を受信して復調し、所定の利得で増幅する受信手段と、前記受信手段から出力される増幅された音声信号の最大レベルを検出し、検出した前記最大レベルと所定の閾値を比較する比較手段と、前記比較手段の比較結果に対応し、前記受信手段を制御して前記利得の設定値を変更させる利得調整手段と、前記比較手段の比較結果に対応し、前記受信手段によって選局されているチャンネルに、前記受信手段の現在の利得の設定値を最適値として対応付けて記憶する記憶手段と、前記音声信号の受信を目的として前記受信手段が使用されるか否かを判定し、前記受信手段が使用されないと判定された場合、前記受信手段、前記比較手段、前記利得調整手段、および前記記憶手段を制御して前記最適値を記憶させ、前記受信手段が使用されると判定された場合、前記受信手段を制御して前記利得の設定値を、前記記憶手段によって記憶されている前記最適値に設定させる制御手段とを含む。
【００１５】
本発明の第１および第２の側面においては、音声信号の受信を目的として受信手段が使用されるか否かが判定され、受信手段が使用されないと判定された場合、受信手段から出力される増幅された音声信号の最大レベルが検出され、検出された最大レベルと所定の閾値が比較され、この比較結果に対応し、受信手段を制御して利得の設定値が変更される。また、この比較結果に対応し、受信手段によって選局されているチャンネルに、受信手段の現在の利得の設定値が最適値として対応付けて記憶される。そして、受信手段が使用されると判定された場合、受信手段を制御して利得の設定値が、記憶されている最適値に設定される。
【発明の効果】
【００１６】
本発明の第１および第２の側面によれば、過変調の音声信号に対処することができる。
【００１７】
また、本発明の第１および第２の側面によれば、速やかに、且つ、ユーザに認識されることなく、過変調の音声信号に対処することができる。
【発明を実施するための最良の形態】
【００１８】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１９】
本発明の第１の側面である受信装置は、音声信号を受信する受信装置において、変調された音声信号を受信して復調し、所定の利得で増幅する受信手段（例えば、図１のチューナ１４および１５）と、前記受信手段から出力される増幅された音声信号の最大レベルを検出し、検出した前記最大レベルと所定の閾値を比較する比較手段（例えば、図１の比較部２１）と、前記比較手段の比較結果に対応し、前記受信手段を制御して前記利得の設定値を変更させる利得調整手段（例えば、図１の利得調整部２２）と、前記比較手段の比較結果に対応し、前記受信手段によって選局されているチャンネルに、前記受信手段の現在の利得の設定値を最適値として対応付けて記憶する記憶手段（例えば、図１のLUT２３）と、前記音声信号の受信を目的として前記受信手段が使用されるか否かを判定し、前記受信手段が使用されないと判定された場合、前記受信手段、前記比較手段、前記利得調整手段、および前記記憶手段を制御して前記最適値を記憶させ、前記受信手段が使用されると判定された場合、前記受信手段を制御して前記利得の設定値を、前記記憶手段によって記憶されている前記最適値に設定させる制御手段（例えば、図１の制御部１２）とを含む。
【００２０】
本発明の第１の側面である受信方法およびプログラムは、前記音声信号の受信を目的として前記受信手段が使用されるか否かを判定し（例えば、図３のステップＳ１）、前記受信手段が使用されないと判定した場合、前記受信手段から出力される増幅された音声信号の最大レベルを検出し（例えば、図４のステップＳ１４）、検出した前記最大レベルと所定の閾値を比較し（例えば、図４のステップＳ１５）、この比較結果に対応し、前記受信手段を制御して前記利得の設定値を変更させ（例えば、図４のステップＳ１６）、この比較結果に対応し、前記受信手段によって選局されているチャンネルに、前記受信手段の現在の利得の設定値を最適値として対応付けて記憶し（例えば、図４のステップＳ１７）、前記受信手段が使用されると判定した場合、前記受信手段を制御して前記利得の設定値を、記憶されている前記最適値に設定させる（例えば、図３のステップＳ４）ステップを含む。
【００２１】
本発明の第２の側面であるテレビジョン受像機は、変調された音声信号を受信して復調し、所定の利得で増幅する受信手段（例えば、図１のメインチューナ１４，１５）と、前記受信手段から出力される増幅された音声信号の最大レベルを検出し、検出した前記最大レベルと所定の閾値を比較する比較手段（例えば、図１の比較部２１）と、前記比較手段の比較結果に対応し、前記受信手段を制御して前記利得の設定値を変更させる利得調整手段（例えば、図１の利得調整部２２）と、前記比較手段の比較結果に対応し、前記受信手段によって選局されているチャンネルに、前記受信手段の現在の利得の設定値を最適値として対応付けて記憶する記憶手段（例えば、図１のLUT２３）と、前記音声信号の受信を目的として前記受信手段が使用されるか否かを判定し、前記受信手段が使用されないと判定された場合、前記受信手段、前記比較手段、前記利得調整手段、および前記記憶手段を制御して前記最適値を記憶させ、前記受信手段が使用されると判定された場合、前記受信手段を制御して前記利得の設定値を、前記記憶手段によって記憶されている前記最適値に設定させる制御手段（例えば、図１の制御部１２）とを含む。
【００２２】
以下、本発明を適用した具体的な実施の形態について、図面を参照しながら詳細に説明する。
【００２３】
図１は、本発明の一実施の形態であるテレビジョン受像機の第１の構成例を示している。このテレビジョン受像機１０は、テレビジョン信号を受信するためのチューナが２つ搭載された、いわゆるダブルチューナモデルであり、ダブルチューナのうちの番組の視聴や録画のために使用されていない方を利用して各チャンネルのテレビジョン信号の音声信号の過変調を検出し、検出結果に応じて最適な増幅利得を決定し、決定結果をLUT（ルックアップテーブル）として保持するようになされている。
【００２４】
このテレビジョン受像機１０は、ユーザの操作を受け付ける操作入力部１１、テレビジョン受像機１０の各部を制御する制御部１２、アンテナなどから入力されるテレビジョン信号（RF信号）を複数に分配する分配器１３、テレビジョン信号から選局に対応する映像信号と音声信号を抽出するチューナ１４および１５、チューナ１４の出力、チューナ１５の出力、およびビデオプレーヤ（不図示）などから供給されるAV信号（外部入力信号）を入力としていずれか１つを後段に出力するセレクタ１６、セレクタ１６の出力に対応する映像を表示するディスプレイ１７、セレクタ１６の出力に対応する音声を出力するスピーカ１８、並びに、テレビジョン信号の音声信号の過変調に応じてチューナ１４および１５における増幅利得を調整する過変調補正部１９から構成される。
【００２５】
操作入力部１１は、リモートコントローラや、筐体に設けられたスイッチなどからなり、ユーザの操作を受け付けて、それに対応する操作信号を制御部１２に出力する。制御部１２は、操作入力部１１から入力される操作信号などに対応し、チューナ１４および１５、セレクタ１６、および過変調補正部１９を制御する。
【００２６】
チューナ１４は、分配器１３によって分配されたテレビジョン信号から、選局に対応するチャンネル成分を抽出、復調、増幅し、この結果得られた映像信号および音声信号をセレクタ１６に出力する。また、チューナ１４は、増幅後の音声信号を過変調補正部１９にも出力する。チューナ１５は、チューナ１４と同一のものである。
【００２７】
セレクタ１６は、ユーザの操作に基づく制御部１２からの指示に従い、チューナ１４からの入力、チューナ１５からの入力、またはビデオプレーヤなどからの入力のうち、いずれか１つを選択し、選択した入力の映像信号をディスプレイ１７に出力するとともに、選択した入力の音声信号をスピーカ１８に出力する。また、セレクタ１６は、チューナ１４からの入力、チューナ１５からの入力、またはビデオレコーダなどからの入力のうち、いずれか１つを選択し、ビデオレコーダ（不図示）などに出力することができる。
【００２８】
過変調補正部１９には、番組の視聴や録画のために使用されていない状態のチューナ１４または１５の出力のピーク値を検出して閾値と比較する比較部２１、比較結果に基づいて最適な増幅利得を決定する利得調整部２２、および各チャンネルに対応付けて最適な増幅利得が記録されるLUT（ルックアップテーブル）２３が含まれる。
【００２９】
LUT２３には、テレビジョン放送の各チャンネルにそれぞれ対応付けて、所定の期間以前の音声信号のピーク値、過変調が改善されたことを示す過変調改善フラグも記録される。
【００３０】
次に、過変調の音声信号に応じて増幅利得を決定する原理について、図２を参照して説明する。
【００３１】
なお、図２Ａおよび図２Ｂの横軸は、音声信号に対応するFM変調波の周波数を示し、縦軸は、音声信号に対応するFM変調波を復調、増幅して得られる電圧を示している。また、音声信号に対応するFM変調波の規定されている変調度（周波数幅）をML、受信装置が対応可能な音声信号の電圧のダイナミックレンジをDLとする。直線G1，G2は、チューナの増幅利得を示している。
【００３２】
図２Ａに示すように、増幅利得が直線G1である場合、規定の周波数幅MLを満たす音声信号（過変調ではない音声信号）を受信したときには、復調、増幅後の音声信号の電圧の幅は、受信装置の対応可能なダイナミックレンジDLに納まるAL1となる。したがって、このときの音声信号は音歪みは生じない。
【００３３】
しかしながら、増幅利得が直線G1である場合、周波数幅ML'の過変調の音声信号を受信したときには、復調、増幅後の音声信号の電圧の幅が受信装置のダイナミックレンジDLを超えるAL1'となる。このとき、電圧がダイナミックレンジDLを超えた分はクリップされるので、このときの音声信号には音歪みが生じてしまう。
【００３４】
そこで、過変調への対策として、音声信号に対応するFM変調波を復調、増幅して得られる電圧を所定の期間監視してピーク値を検出し、検出したピーク値が予め設定されている閾値を越えた場合、図２Ｂに示すように、増幅利得を徐々に下げて、復調、増幅後の音声信号の電圧のピーク値が所定の閾値以下となり、且つ、電圧の幅AL2'が受信装置の対応可能なダイナミックレンジDLに納まるまで、増幅利得を直線G1から直線G2に変更する。
【００３５】
このように、増幅利得を直線G2まで下げることにより、復調、増幅後の音声信号の電圧は、そのピーク値が所定の閾値以下であり、かつ、幅がダイナミックレンジDLを超えないので、音歪みの発生を抑止することができる。
【００３６】
以上説明した原理を利用し、テレビジョン受像機１０は増幅利得を調整する。
【００３７】
次に、テレビジョン受像機１０による増幅利得を調整する処理（以下、増幅利得調整処理と称する）について、図３のフローチャートを参照して説明する。この増幅利得調整処理は、例えば、テレビジョン受像機１０の主電源がオンとされたときに実行される。
【００３８】
ステップＳ１において、制御部１２は、チューナ１４または１５の少なくとも一方が使用される状態であるか否かを判定する。
【００３９】
ここで、チューナ１４または１５の少なくとも一方が使用される状態とは、テレビジョン受像機１０においてテレビジョン番組を視聴するためにチューナ１４または１５によりテレビジョン放送を受信する状態、または外部のビデオレコーダなどを用いて録画させるために、チューナ１４または１５によりテレビジョン放送を受信する状態などを指す。
【００４０】
反対に、チューナ１４および１５の両方が使用されない状態とは、ビデオプレーヤなどから入力されたAV信号（外部入力信号）の映像を表示し、音声を出力する状態を指す。
【００４１】
ステップＳ１において、チューナ１４および１５の両方が使用されない状態であると判定された場合、処理はステップＳ２に進められる。ステップＳ２において、過変調補正部１９は、チューナ１４または１５の一方を用い（例えば、常にチューナ１４を固定的に用いてもよいし、ステップＳ２の処理を実行する毎にチューナ１４または１５を交互に用いてもよいし、あるいはステップＳ２の処理を実行する毎にどちらかをランダムに用いてもよい）、テレビジョン放送の各チャンネルにそれぞれ応じた増幅利得を決定するための計測処理を実行する。なお、以下において、計測処理に用いるチューナ１４または１５を、計測チューナと称する。
【００４２】
ステップＳ２における計測処理について、図４のフローチャートを参照して詳述する。
【００４３】
ステップＳ１１において、過変調補正部１９の利得調整部２２は、LUT２３を参照して、現在選局されているチャンネルの過変調改善フラグがオンとされているか否か（当該チャンネルの音声信号は過変調が改善されたと判断されたか否か）を確認する。
【００４４】
ここで、過変調改善フラグとは、放送される音声信号の過変調が改善されたことを示すものである。過変調の音声信号を放送していた国や地域であっても、規格に従った変調度の過変調ではない音声信号を放送するようになることが期待される。このように、放送される音声信号の過変調が改善された場合、当該増幅利得調整処理では、基本的に増幅利得を下げる方向にのみ調整するので、増幅後の音声信号の電圧の幅が狭まってしまい、例えば、小声のシーンではユーザが聞き取るために十分な音量を得られなくなってしまう。
【００４５】
そこで、当該増幅利得調整処理では、過変調が改善された場合、増幅利得の調整時の初期値を最大値に設定するようにして、増幅後の音声信号の電圧が幅を広げるようになされている。なお、過変調が改善されたか否かの判断、および過変調改善フラグの設定については、図５を参照して後述する。
【００４６】
ステップＳ１１において、現在選局されているチャンネルの過変調改善フラグがオンとされていないと判定された場合、処理はステップＳ１２に進められる。ステップＳ１２において、利得調整部２２は、計測チューナの増幅利得の初期値に現在の設定値を採用させ、処理をステップＳ１４に進める。
【００４７】
反対に、ステップＳ１１において、現在選局されているチャンネルの過変調改善フラグがオンとされていると判定された場合、処理はステップＳ１３に進められる。ステップＳ１３において、利得調整部２２は、計測チューナの増幅利得の初期値に最大値を採用させ、処理をステップＳ１４に進める。
【００４８】
ステップＳ１４において、過変調補正部１９の比較部２１は、計測チューナの出力（電圧）を所定の時間（例えば、１０分間）監視し、当該所定の時間におけるピーク値を検出する。ステップＳ１５において、比較部２１は、検出したピーク値が予め決定されている閾値以上であるか否かを判定する。
【００４９】
ピーク値が閾値以上であると判定した場合、音声信号が過変調であり音歪が生じる可能性があるので、処理はステップＳ１６に進められる。ステップＳ１６において、利得調整部２２は、計測チューナの増幅利得を所定の値だけ下げさせる。
【００５０】
この後、処理はステップＳ１４に戻され、ステップＳ１４乃至Ｓ１６の処理が繰り返される。
【００５１】
そして、ステップＳ１５において、ピーク値が閾値よりも小さいと判定された場合、処理はステップＳ１７に進められる。ステップＳ１７において、利得調整部２２は、選局中のチャンネルに対応付けて、現在の増幅利得とピーク値をLUT２３に記録する。
【００５２】
ステップＳ１８において、制御部１２は、受信可能なテレビジョン放送の全てのチャンネルに対してステップＳ１１乃至Ｓ１７の処理を行ったか否かを判定し、行っていないチャンネルが残っていると判定した場合、処理をステップＳ１９に進める。ステップＳ１９において、制御部１２は、ステップＳ１１乃至Ｓ１７の処理を行っていない次のチャンネルの選局を計測チューナに指示する。この後、処理はステップＳ１１に戻され、ステップＳ１１乃至Ｓ１８の処理が繰り返される。
【００５３】
そして、ステップＳ１８において、受信可能なテレビジョン放送の全てのチャンネルに対してステップＳ１１乃至Ｓ１７の処理を行ったと判定された場合、当該計測処理は終了される。
【００５４】
以上説明したように、計測処理では、視聴や録画に使用されない計測チューナを用いて、受信可能なテレビジョン放送の全てのチャンネルにそれぞれ対応する最適な増幅利得が決定され、LUT２３が更新される。
【００５５】
図３に戻る。ステップＳ１において、チューナ１４または１５の少なくとも一方が使用される状態であると判定された場合、処理はステップＳ３に進められる。ステップＳ３において、制御部１２は、チューナ１４および１５の両方が使用される状態であるか否かを判定する。ここで、両方が使用される状態とは、チューナ１４および１５の一方がテレビジョン番組の視聴のために使用され、他方がビデオレコーダなどを用いたテレビジョン番組の録画のために使用されている状態などを指す。
【００５６】
ステップＳ３において、チューナ１４および１５の両方が使用される状態であると判定された場合、処理はステップＳ４に進められる。ステップＳ４において、利得調整部２２は、前回の計測処理によって更新されているLUT２３を参照して、チューナ１４および１５の増幅利得を設定する。
【００５７】
ステップＳ３において、チューナ１４および１５の両方が使用される状態ではない、すなわち、チューナ１４または１５の一方だけが使用される状態であると判定された場合、処理はステップＳ５に進められる。ステップＳ５において、利得調整部２２は、チューナ１４または１５の使用される一方の増幅利得を、前回の計測処理によって更新されているLUT２３を参照して設定する。そして、過変調補正部１９は、チューナ１４または１５の使用されない他方を用いて計測処理を行い、LUT２３を現在の放送状況に応じて更新する。なお、ステップＳ５における計測処理は、図４を参照して上述したものと同様であるので、その説明は省略する。
【００５８】
以上説明したように、テレビジョン受像機１０による増幅利得調整処理によれば、チューナ１４および１５のうち、テレビジョン番組の視聴や録画に使用されていない一方のチューナを用いて計測処理を行うので、視聴や録画を妨げることなく各チャンネルに対する最適な増幅利得を決定し、更新することができる。また、チューナ１４および１５の増幅利得の設定変更は、その使用開始時に行われるので、視聴中に音量が不自然に変化してしまうことはない。したがって、過変調に対する対処をユーザに認識されることなく実行することができる。
【００５９】
次に、音声信号の過変調が改善されたか否かを検出する処理（以下、過変調改善検出処理と称する）について、図５を参照して説明する。この過変調改善検出処理は、定期的（例えば、１週間に１回）に実行される。
【００６０】
ステップＳ３１において、比較部２１は、チャンネル毎に現在の音声信号の増幅後のピーク値（上述した計測処理のステップＳ１７でLUT２３に記録するピーク値を流用する）を、LUT２３に記録されている所定の期間前（例えば、１週間前）のピーク値と比較し、現在のピーク値が所定の期間前よりも小さく、その差が所定の閾値以上であるか否かを判定する。
【００６１】
現在のピーク値が所定の期間前よりも小さく、その差が所定の閾値以上であると判定された場合、過変調が改善されたにも拘らず増幅利得が下げられたままで十分な音量を得られていないと考えられるので、処理はステップＳ３２に進められる。ステップＳ３２において、比較部２１は、LUT２３の対応するチャンネルの過変調改善フラグをオンとする。
【００６２】
反対に、現在のピーク値が所定の期間前よりも小さくない、あるいは、その差が所定の閾値以上ではないと判定された場合、過変調が改善されていないと考えられるので、処理はステップＳ３３に進められる。ステップＳ３３において、比較部２１は、LUT２３の対応するチャンネルの過変調改善フラグをオフとする。以上で、過変調改善検出処理は終了される。
【００６３】
次に、図６は、本発明の一実施の形態であるテレビジョン受像機の第２の構成例を示している。このテレビジョン受像機３０は、図１に示されたテレビジョン受像機１０から分配器１３およびチューナ１５を省略したモデルであり、その他の共通の構成要素については、テレビジョン受像機１０と同一の符号を付しているので、その説明は省略する。
【００６４】
次に、テレビジョン受像機３０による増幅利得調整処理について、図７のフローチャートを参照して説明する。この増幅利得調整処理は、例えば、テレビジョン受像機３０の主電源がオンとされたときに実行される。
【００６５】
ステップＳ５１において、制御部１２は、チューナ１４が使用される状態であるか否かを判定する。
【００６６】
ここで、チューナ１４が使用される状態とは、テレビジョン番組を視聴するため、または録画のためにチューナ１４によりテレビジョン放送を受信する状態を指す。反対に、チューナ１４が使用されない状態とは、ビデオプレーヤなどから入力されたAV信号（外部入力信号）の映像を表示し、音声を出力する状態を指す。
【００６７】
ステップＳ５１において、チューナ１４が使用されない状態であると判定された場合、処理はステップＳ５２に進められる。ステップＳ５２において、過変調補正部１９は、チューナ１４を計測チューナとして用い、テレビジョン放送の各チャンネルにそれぞれ応じた増幅利得を決定するための計測処理を実行する。なお、ステップＳ５２における計測処理については、図４を参照して上述した説明と同様であるので、その説明は省略する。
【００６８】
反対に、ステップＳ５１において、チューナ１４が使用される状態であると判定された場合、処理はステップＳ５３に進められる。ステップＳ５３において、利得調整部２２は、前回の計測処理によって更新されているLUT２３を参照して、チューナ１４の増幅利得を設定する。
【００６９】
以上説明したように、テレビジョン受像機３０による増幅利得調整処理によれば、チューナ１４がテレビジョン番組の視聴や録画に使用されていないときに計測処理を行うので、視聴や録画を妨げることなく各チャンネルに対する最適な増幅利得を決定し、更新することができる。また、チューナ１４の増幅利得の設定変更は、その使用開始時に行われるので、視聴中に音量が不自然に変化してしまうことはない。したがって、過変調に対する対処をユーザに認識されることなく実行することができる。
【００７０】
ところで、上述したテレビジョン受像機１０および３０それぞれによる増幅利得調整処理では、主電源がオンであるときに、使用されないチューナを用いて計測処理を実行するようにしたが、この方法では、チューナが常に使用される状態である場合、最新の最適な増幅利得を決定し、LUT２３に更新することができない。
【００７１】
そこで、主電源がオフのスタンバイ状態であるときに計測処理を行うようにしてもよい。このようにすれば、チューナの数や使用状態に拘わらず、最新の最適な増幅利得を決定して、LUT２３を更新することができる。また、スタンバイ状態のときに計測処理を行うか否かを、ユーザが設定できるようにしてもよい。
【００７２】
なお、本発明は、テレビジョン受像機、ラジオ受信機の他、チューナを内蔵するあらゆる受信装置に適用することが可能である。
【００７３】
また、本発明は、FM変調波の音声信号のみならず、他の変調方式による過変調の音声信号を受信する受信装置に適用することができる。
【００７４】
さらに、本発明は、テレビジョン放送やラジオ放送のみならず、例えばインタネットに代表されるネットワークを介し、コンテンツの供給を受けて再生する情報処理装置などに適用することができる。
【００７５】
本発明の実施の形態は、上述した実施の形態に限定されるものではなく、本発明の要旨を逸脱しない範囲において種々の変更が可能である。
【図面の簡単な説明】
【００７６】
【図１】本発明を適用したテレビジョン受像機の第１の構成例を示すブロック図である。
【図２】過変調の音声信号に応じて増幅利得を決定する原理を説明するための図である。
【図３】図１のテレビジョン受像機による増幅利得調整処理を説明するフローチャートである。
【図４】計測処理を説明するフローチャートである。
【図５】過変調改善検出処理を説明するフローチャートである。
【図６】本発明を適用したテレビジョン受像機の第２の構成例を示すブロック図である。
【図７】図６のテレビジョン受像機による増幅利得調整処理を説明するフローチャートである。
【符号の説明】
【００７７】
１０  テレビジョン受像機，  １１  操作入力部，  １２  制御部，  １３  分配器，  １４，１５  チューナ，  １６  セレクタ，  １７  ディスプレイ，  １８  スピーカ，  １９  過変調補正部，  ２１  比較部，  ２２  利得調整部，  ２３  LUT，  ３０  テレビジョン受像機
【図１】
2008205762.tif 000003
【図２】
2008205762.tif 000004
【図３】
2008205762.tif 000005
【図４】
2008205762.tif 000006
【図５】
2008205762.tif 000007
【図６】
2008205762.tif 000008
【図７】
2008205762.tif 000009